(57)【要約】【課題】簡便な構成で、支柱等の構成部材に設けた化粧板等の貼り付け部材を剥がれにくくすること。【解決手段】脚立の支柱１に、この支柱１のほぼ全長に亘って、その長さ方向に延びる二本の突条７、７を形成する。そして、両突条７、７の間にちょうど収まるように、長尺の化粧板５ａを貼り付ける。突条７の高さは化粧板５ａの厚さよりも高く、この化粧板５ａの端面は、突条７によってカバーされる。このため、手等がこの端面に接触しにくく、化粧板５ａの剥離を効果的に防止することができる。【選択図】図１
0003167762.tif 000002
【実用新案登録請求の範囲】
【請求項１】
構成部材の表面に突条（７）を形成し、前記表面に貼り付け部材（５）を、その端面が前記突条（７）に向きあいつつ沿うように設けた脚立。
【請求項２】
前記突条（７）の高さが、前記貼り付け部材（５）の厚さよりも高い請求項１に記載の脚立。
【請求項３】
前記突条（７）の前記貼り付け部材（５）側への傾斜と比較して、前記突条（７）の前記貼り付け部材（５）とは反対側への傾斜を緩やかとした請求項１又は２に記載の脚立。
【考案の詳細な説明】
【技術分野】
【０００１】
この考案は、支柱、天板、踏桟等の構成部材に化粧板や滑り止め部材を設けた脚立に関する。
【背景技術】
【０００２】
脚立の支柱、天板、踏桟等の構成部材には、その美感を向上して商品価値を高めるため、あるいは、この脚立を目立ちやすくするために、木目調等のデザインを施したり、反射板等の機能を持たせたりした化粧板を貼り付けることがある。また、脚立を使用する際の安全性を確保するため、天板及び踏桟の踏み面には滑り止め処理を施すことが要求されており（「住宅用金属製脚立の認定基準及び基準確認方法」（財団法人製品安全協会編）の第２頁を参照）、この滑り止め処理として、この天板等に滑り止め部材を貼り付けることもある。
【０００３】
この脚立は、支柱や天板等を持って持ち運びがなされ、使用後には、この支柱をコンパクトに収納するようにしたものが多い。この持ち運びや収納の際には、前記構成部材に貼り付けた化粧板に手が触れやすい。また、脚立の使用の際には、前記踏み面に貼り付けた滑り止め部材に足が直接乗りかかる。このとき、手や足が化粧板等の貼り付け部材の端面に触れると、この貼り付け部材の端面部分から、剥離が生じることがよくある。このように貼り付け部材が剥離すると、脚立の美感が却って低下したり、滑り止め機能が損なわれたりするため好ましくない。
【０００４】
そこで、貼り付け部材の剥離問題を解決すべく、例えば下記特許文献１には、脚立の支柱の側面に係止片を備えた凹溝を形成し、この凹溝に、前記係止片に引っ掛かる段差部を形成した化粧桟を嵌め込んで、この化粧桟をしっかりと固定するようにした構成が開示されている（特に、同文献の第１図〜第３図を参照）。
【先行技術文献】
【特許文献】
【０００５】
【特許文献１】公開実用新案平３−３５１９７号公報
【考案の概要】
【考案が解決しようとする課題】
【０００６】
上記特許文献１に記載の構成は、支柱及び化粧桟に、互いに係合する係止片と段差部をそれぞれ形成する必要があり、加工コストが嵩みやすい。特に家庭用として用いられている脚立は価格競争が激しく、この加工コストを抑制することが重要である。
【０００７】
そこで、この考案は、簡便な構成で、支柱等の構成部材に設けた貼り付け部材を剥がれにくくすることを課題とする。
【課題を解決するための手段】
【０００８】
上記の課題を解決するため、この考案は、構成部材の表面に突条を形成し、前記表面に貼り付け部材を、その端面が前記突条に向きあいつつ沿うように設けて脚立を構成した。
【０００９】
上記のように、貼り付け部材はその端面に手等が触れることによって、この端面から次第に剥がれるのが通常である。そこで、端面が前記突条に向きあいつつ沿うようにこの貼り付け部材を貼り付け、脚立の持ち運び等の際に、前記端面に手等が接触しにくくすることによって、貼り付け部材の剥離を防止することができる。しかも、前記突条の形成は、支柱等の構成部材側のみに行えばよく、この構成部材に設ける貼り付け部材は、前記突条に沿うようにカットすればよい。このため、上記特許文献１に示したように、構成部材（支柱）と化粧桟の双方に係止片又は段差部を加工する場合と比較して、加工コストを大幅に削減することができる。
【００１０】
また、前記構成においては、前記突条の高さを、前記貼り付け部材の厚さよりも高くするのが好ましい。
【００１１】
このようにすると、前記貼り付け部材の表面よりも、前記突条の頂部の方が上に位置し、この貼り付け部材の端面に手等が一層接触しにくくなる。このため、この突条による貼り付け部材の剥離防止作用が一層高まる。
【００１２】
さらに、前記各構成においては、前記突条の前記貼り付け部材側への傾斜と比較して、前記突条の前記貼り付け部材とは反対側への傾斜を緩やかとするのがより好ましい。
【００１３】
前記突条は、前記貼り付け部材の外側を縁取るように位置するが、この突条の縁取りが目立って、貼り付け部材として化粧板を貼り付けた際の美感が損なわれることがある。特に、この縁取りは、前記突条の高さの変化が急峻な場合で陰影が生じて目立ちやすい。そこで、前記貼り付け部材とは反対側の傾斜を、貼り付け部材側の傾斜と比較して緩やかにすることによって、前記縁取りを目立たなくして、その美感を維持することができる。さらに、前記貼り付け部材とは反対側の傾斜を非常になだらかにして、この貼り付け部材を貼り付ける箇所を座繰り状とすることもできる。
【考案の効果】
【００１４】
この考案では、脚立の構成部品の表面に突条を形成し、前記表面に貼り付け部材を、その端面が前記突条に向きあいつつ沿うように設けた。このようにすることで、脚立の持ち運びや支柱の収納の際、あるいは脚立の使用の際に、貼り付け部材の端面に手等が接触しにくくなり、この貼り付け部材の剥離が防止される。このため、この脚立の美感や、滑り止め機能を長期に亘って維持することができる。
【図面の簡単な説明】
【００１５】
【図１】この考案に係る脚立の一実施形態を示し、（ａ）は全体の斜視図、（ｂ）は支柱の横断面図、（ｃ）は支柱の要部横断面図
【図２】支柱に形成する突条の他例を示す横断面図
【図３】この考案に係る脚立の他の実施形態を示し、（ａ）は全体の斜視図、（ｂ）は支柱の横断面図、（ｃ）は支柱の要部横断面図
【図４】この考案に係る脚立の他の実施形態を示す斜視図
【図５】この考案に係る脚立の天板を示す斜視図
【考案を実施するための形態】
【００１６】
この考案に係る脚立の一実施形態について、その全体の斜視図を図１（ａ）に、支柱１の横断面図を図１（ｂ）に、支柱１の要部横断面図を図１（ｃ）にそれぞれ示す。この脚立は、二本の支柱１、１を開き止め具２によって自在に開閉し得るようにした折り畳み式脚立であって、この支柱１の上部には天板３が、中程には踏桟４が設けられ、側面には化粧板５ａが貼り付けられている。この化粧板５には表面に彩色が施されていて、これを貼り付けた支柱１の美感を高める機能を備えている。開き止め具２、天板３、及び踏桟４は、支柱１にビス６で止められている。
【００１７】
この化粧板５ａとして、その表面に反射板加工を施したものや、蛍光塗料あるいは蓄光材料を塗布したものを採用することもできる。このようにすることにより、この脚立の暗所における視認性が高まり、夜間に誤ってこれにつまづくのを防止することができる。
【００１８】
この支柱１は四角状の筒形の断面をしており、この四角状の一辺の両端寄りに、支柱１のほぼ全長に亘ってその長さ方向に延びる突条７が形成されている。この突条７は、断面半円状をしており、両突条７、７の間にちょうど収まるように、長尺の化粧板５ａが貼り付けられている。この突条７の高さは化粧板５ａの厚さよりも高く、突条７の頂部は化粧板５ａの表面よりも突出している。このため、化粧板５ａの端面に手等が接触しにくく、この化粧板５ａの剥離が防止される。
【００１９】
この突条７を形成するだけでも、化粧板５ａの剥離防止効果は発揮されるが、図１（ａ）に示したように、この化粧板５ａを、支柱１と、開き止め具２等を止めるビス６の頭部との間に挟み込むようにすることによって、この剥離防止効果を一層確実なものとすることができる。
【００２０】
また、上記のように突条７の高さと化粧板５ａの厚さの関係にするのが、剥離防止の観点から望ましいが、突条７の高さが化粧板５ａの厚さよりも低い構成とすることもできる。この場合、化粧板５ａの端面の全体を突条７でカバーすることはできないが、手等がこの端面に接触しにくくして、ある程度の剥離防止効果を発揮し得る。
【００２１】
この突条７は、図２に示すように、化粧板５ａ側への傾斜を急峻とする一方で、化粧板５とは反対側への傾斜を緩やかにすることもできる。このように、化粧板５ａ側への傾斜を急峻すれば、突条７と化粧板５ａの端面との間の隙間が小さくなって、この端面に手等が接触しにくく、この化粧板５ａの剥離防止作用が一層高まる。
【００２２】
また、それと反対側への傾斜を緩やかにすると、前記反対側の突条７が目立たなくなって美感が向上するとともに、表面上の凹凸が小さくなって手で持ったときの違和感が少なくなる。
【００２３】
この突条７は、化粧板５ａの周囲全体に形成すれば剥離防止効果の点で好ましいが、特に手等が接触しやすい箇所に形成しておけば、実用上問題ない程度にその効果を発揮し得る。
【００２４】
この考案に係る脚立の他の実施形態について、その全体の斜視図を図３（ａ）に、支柱１の横断面図を図３（ｂ）に、支柱１の要部横断面図を図３（ｃ）にそれぞれ示す。この脚立は、図１に示した脚立と基本構成は同じであるが、支柱１の断面形状が半円状の筒形の断面をしている点で異なっている。
【００２５】
この支柱１の円弧面には、支柱１のほぼ全長に亘って突条７が形成されている。この突条７は、断面半円状をしており、二本の突条７、７の間にちょうど収まるように、前記円弧面に沿って湾曲した、長尺の化粧板５ａが貼り付けられている。このように円弧面に化粧板５ａが貼り付けられている場合でも、その端面を突条７でカバーして手等が接触しないようにすることで、この化粧板５ａの剥離を効果的に防止することができる。
【００２６】
上記の各実施形態では、支柱１にのみ化粧板５ａを貼り付けた態様について示したが、図４に示すように、天板３の端部に突条７を形成して、化粧板５ａを貼り付けてもよい。このように端部に化粧板５ａを設けると、天板３の範囲が明確となるため、この天板３上で作業をする際の安全性向上が期待できる。この天板３以外に、支柱１を折り畳むための開き止め具２や、支柱１の踏桟４に化粧板５ａを貼り付ける構成としてもよい。
【００２７】
また図５に示すように、貼り付け部材として滑り止め部材５ｂを天板３や踏桟４の端部に貼り付けることができる。この天板３や踏桟４には、滑り止め部材５ｂの端面に向きあいつつ沿うように、天板３等の全幅に亘る突条７が形成されている。
【００２８】
この滑り止め部材５ｂには、使用の度に強い踏み付け力が作用し、上記の化粧板５ａと同様に、その端面に足が接触することによって剥離が始まることが多い。そこで、突条７を形成して前記端面への足の接触を防止することにより、この滑り止め部材７の剥離を防止することができ、滑り止め機能を長期に亘って維持することができる。
【００２９】
また、上記の各実施形態では、脚立について説明したが、この脚立と類似する用途で用いられる梯子についても、同様に突条７を形成して化粧板５ａや滑り止め部材５ｂ等の貼り付け部材５を貼り付ける態様とすることができる。
【符号の説明】
【００３０】
１  支柱
２  開き止め具
３  天板
４  踏桟
５  貼り付け部材
５ａ  化粧板
５ｂ  滑り止め部材
６  ビス
７  突条
【図１】
0003167762.tif 000003
【図２】
0003167762.tif 000004
【図３】
0003167762.tif 000005
【図４】
0003167762.tif 000006
【図５】
0003167762.tif 000007
【手続補正書】
【提出日】平成23年3月7日(2011.3.7)
【手続補正１】
【補正対象書類名】実用新案登録請求の範囲
【補正対象項目名】全文
【補正方法】変更
【補正の内容】
【実用新案登録請求の範囲】
【請求項１】
支柱（１）、天板（３）及び踏桟（４）の少なくとも一つの表面に突条（７）を形成し、前記表面に貼り付け部材（５）を、その端面が前記突条（７）に向きあいつつ沿うように設けた脚立。
【請求項２】
前記突条（７）の高さが、前記貼り付け部材（５）の厚さよりも高い請求項１に記載の脚立。
【請求項３】
前記突条（７）の前記貼り付け部材（５）側への傾斜と比較して、前記突条（７）の前記貼り付け部材（５）とは反対側への傾斜を緩やかとした請求項１又は２に記載の脚立。